(57)【要約】【課題】本発明は電子ペンの操作によって発生する割り込みイベントに基づいて携帯装置を制御する電子ペンを利用した携帯装置の制御方法及びその携帯装置を提供する。【解決手段】本発明の電子ペンを利用した携帯装置の制御方法は、電子ペンの検出距離内に位置する電子ペンの操作による割り込みイベントを検出する段階と、電子ペンの検出距離内からの離脱を検出する段階と、離脱に対応して携帯装置の制御動作を実行する段階と、を有する。【選択図】図３
2014132441.tif 000002
【特許請求の範囲】
【請求項１】
電子ペンを利用した携帯装置の制御方法であって、
前記電子ペンの検出距離内に位置する該電子ペンの操作による割り込みイベントを検出する段階と、
前記電子ペンの検出距離内からの離脱を検出する段階と、
前記離脱に対応して前記携帯装置の制御動作を実行する段階と、を有することを特徴とする携帯装置の制御方法。
【請求項２】
前記割り込みイベントを検出する段階は、
前記電子ペンのタッチまたはホバリング動作を検出する段階と、
前記タッチまたはホバリング動作検出中、前記電子ペンの操作による割り込みイベントを検出する段階と、を含むことを特徴とする請求項１に記載の携帯装置の制御方法。
【請求項３】
前記タッチまたはホバリング動作を検出する段階は、
前記タッチまたはホバリング動作に対応する制御動作が存在するか否かを判定する段階と、
前記タッチまたはホバリング動作に対応する制御動作が存在する場合に、前記制御動作を実行する段階と、を含むことを特徴とする請求項２に記載の携帯装置の制御方法。
【請求項４】
前記割り込みイベントを検出する段階は、  
前記電子ペンのタッチまたはホバリング動作による電気信号及び磁気信号のうちの少なくとも１つの変化を検出する段階と、
前記電気信号及び前記磁気信号のうちの少なくとも１つの周波数変化による割り込みイベントを検出する段階と、を含むことを特徴とする請求項１に記載の携帯装置の制御方法。
【請求項５】
前記周波数変化は、
前記電子ペンのボタン、ホイール、ダイヤル、及びスイッチのうちの少なくとも１つの操作によって発生することを特徴とする請求項４に記載の携帯装置の制御方法。
【請求項６】
前記割り込みイベントを検出する段階は、
前記電子ペンから割り込み情報を含む無線信号を受信する段階と、
前記割り込み情報に基づいて前記割り込みイベントを検出する段階と、を含むことを特徴とする請求項１に記載の携帯装置の制御方法。
【請求項７】
前記割り込みイベントを検出する段階は、
割り込みイベントを発生させるためのユーザ入力を検出する段階と、
前記ユーザ入力に基づいて前記割り込みイベントを検出する段階と、を含むことを特徴とする請求項１に記載の携帯装置の制御方法。
【請求項８】
前記制御動作を実行する段階は、
前記電子ペンの離脱後、予め設定された時間が経過したか否かを判定する段階と、
前記予め設定された時間が経過した場合に、前記制御動作を実行する段階と、を含むことを特徴とする請求項１に記載の携帯装置の制御方法。
【請求項９】
前記制御動作を実行する段階は、
現在動作中のアプリケーションを終了する段階と、
待機画面またはホーム画面を表示する段階と、を含むことを特徴とする請求項１に記載の携帯装置の制御方法。
【請求項１０】
前記制御動作を実行する段階は、
ロックモードに進入する段階と、
前記ロックモードに進入することによってロック画面を表示する段階と、を含むことを特徴とする請求項１に記載の携帯装置の制御方法。
【請求項１１】
前記制御動作を実行する段階は、
現在動作中のアプリケーションの作業状態を記憶または一時記憶する段階を含むことを特徴とする請求項１に記載の携帯装置の制御方法。
【請求項１２】
前記制御動作を実行する段階は、
前記電子ペンを検出する入力検出部を除いて、前記携帯装置を構成する少なくとも１つの構成要素の電源をオフさせる段階を含むことを特徴とする請求項１に記載の携帯装置の制御方法。
【請求項１３】
前記制御動作を実行する段階は、
前記入力検出部によって、前記電子ペンの検出距離内への進入を検出する段階と、
前記電源がオフされた前記少なくとも１つの構成要素の電源をオンさせる段階と、を更に含むことを特徴とする請求項１２に記載の携帯装置の制御方法。
【請求項１４】
情報を表示する表示部と、
前記情報に対する電子ペンの入力として、前記電子ペンの検出距離内への進入、前記検出距離内に位置する前記電子ペンの操作による割り込みイベント、及び前記電子ペンの検出距離内からの離脱のうち、少なくとも１つを検出する入力検出部と、
前記入力検出部によって前記割り込みイベントが検出され、前記離脱が検出されると、前記離脱に対応して制御動作を実行する制御部と、を備えることを特徴とする携帯装置。
【請求項１５】
前記入力検出部は、
前記電子ペンのタッチまたはホバリング動作による電気信号及び磁気信号のうちの少なくとも１つの変化を検出し、前記電気信号及び前記磁気信号のうちの少なくとも１つの周波数変化による前記割り込みイベントを検出することを特徴とする請求項１４に記載の携帯装置。
【請求項１６】
前記周波数変化は、
前記電子ペンのボタン、ホイール、ダイヤル及びスイッチのうちの少なくとも１つの操作によって発生することを特徴とする請求項１５に記載の携帯装置。
【請求項１７】
前記電子ペンと無線信号を送受信する通信部を更に含み、
前記制御部は、
前記通信部を通じて割り込み情報を含む無線信号を受信すると、前記割り込み情報に基づいて前記割り込みイベントを検出することを特徴とする請求項１４に記載の携帯装置。
【請求項１８】
割り込みイベントを発生させるためのユーザ入力を検出する入力部を更に含み、
前記制御部は、
前記ユーザ入力に基づいて前記割り込みイベントを検出することを特徴とする請求項１４に記載の携帯装置。
【請求項１９】
前記制御部は、
前記制御動作として、現在動作中のアプリケーションを終了して待機画面またはホーム画面を表示するように前記表示部を制御する動作、ロックモードに進入する動作、及び現在動作中のアプリケーションの作業状態を記憶または一時記憶する動作のうちの少なくとも１つを実行することを特徴とする請求項１４に記載の携帯装置。
【請求項２０】
前記制御部は、
前記制御動作として、前記入力検出部を除いた前記携帯装置を構成する少なくとも１つの構成要素の電源をオフさせ、前記入力検出部によって前記電子ペンの前記検出距離内への再進入が検出されると、前記電源がオフされた前記少なくとも１つの構成要素の電源をオンさせること特徴とする請求項１４に記載の携帯装置。
【発明の詳細な説明】
【技術分野】
【０００１】
本発明は、電子ペンを利用した携帯装置の制御方法及びその携帯装置に係り、より詳しくは、電子ペンの操作によって発生する割り込みイベント及び電子ペンの検出距離内からの離脱に基づいて携帯装置を制御する電子ペンを利用した携帯装置の制御方法及びその携帯装置に関する。
【背景技術】
【０００２】
近年の携帯装置は写真や動画像の撮影、音楽ファイルや動画像ファイルの再生、ゲーム、放送の受信、無線インターネットサポート等の複雑な機能を備え、総合的なマルチメディア機器（ｍｕｌｔｉｍｅｄｉａ  ｐｌａｙｅｒ）形態として具現されている。これによって携帯装置はユーザのニーズを満足すると共に携帯性及び便利性を強化するためにハードウェアやソフトウェア的な側面で新しい形態で発展している。
【０００３】
携帯装置の発展と共に誰でも容易に携帯装置を制御するための情報入力が可能になるように携帯装置を構成する必要性が高くなった。このような必要性を満たすために情報入力が可能な入力装置として、タッチスクリーンパネル（ＴＳＰ）が開発された。タッチスクリーンパネルは携帯装置の表示部を構成し、ユーザが表示部を見ながら望みの情報を入力する。
【０００４】
現在では、スマートフォン、タブレット等、多くの携帯装置でタッチスクリーンパネルが採用されている。タッチスクリーンパネルは携帯装置のバッテリーから一定量の電力が供給されるため、タッチスクリーンパネルを効率的に制御することができないと、携帯装置の電力が早く消耗するという問題点がある。
【０００５】
電子ペンは、タッチスクリーンパネルを通じてより精巧な入力が可能である。電子ペンは入力だけではなく、タッチスクリーンパネルの効率的な使用を制御する等の多様な用途に活用可能性を提供することができるが、現状では入力のための補助手段に使用されるだけで、他の用途に使用する事例はない。
【発明の概要】
【発明が解決しようとする課題】
【０００６】
本発明は、上記従来の問題点に鑑みてなされたものであって、本発明の目的は、電子ペンの操作によって発生する割り込みイベント及び割り込みイベントが発生した状態で電子ペンの検出距離内からの離脱に基づいて携帯装置を制御する電子ペンを利用した携帯装置の制御方法及びその携帯装置を提供することにある。
【課題を解決するための手段】
【０００７】
上記目的を達成するためになされた本発明の一態様による携帯装置の制御方法は、電子ペンを利用した携帯装置の制御方法であって、前記電子ペンの検出距離内に位置する該電子ペンの操作による割り込みイベントを検出する段階と、前記電子ペンの検出距離内からの離脱を検出する段階と、前記離脱に対応して前記携帯装置の制御動作を実行する段階と、を有することを特徴とする。
【０００８】
前記割り込みイベントを検出する段階は、前記電子ペンのタッチまたはホバリング動作を検出する段階と、前記タッチまたはホバリング動作検出の中、前記電子ペンの操作による前記割り込みイベントを検出する段階と、を含む。
また、前記タッチまたはホバリング動作を検出する段階は、前記タッチまたはホバリング動作に対応する制御動作が存在するか否かを判定する段階と、前記タッチまたはホバリング動作に対応する制御動作が存在する場合、前記制御動作を実行する段階と、を含む。
【０００９】
前記割り込みイベントを検出する段階は、前記電子ペンのタッチまたはホバリング動作による電気信号及び磁気信号のうちで少なくとも１つの変化を検出する段階と、前記電気信号及び前記磁気信号のうち、少なくとも１つの周波数変化による前記割り込みイベントを検出する段階とを含む。
また、前記周波数変化は、前記電子ペンのボタン、ホイール、ダイヤル及びスイッチのうち、少なくとも１つの操作によって発生する。
【００１０】
前記割り込みイベントを検出する段階は、前記電子ペンから割り込み情報を含む無線信号を受信する段階と、前記割り込み情報に基づいて前記割り込みイベントを検出する段階と、を含む。
前記割り込みイベントを検出する段階は、割り込みイベントを発生させるためのユーザ入力を検出する段階と、前記ユーザ入力に基づいて前記割り込みイベントを検出する段階と、を含む。
【００１１】
前記制御動作を実行する段階は、前記電子ペンの離脱後、予め設定された時間が経過したか否かを判定する段階と、前記予め設定された時間が経過すると前記制御動作を実行する段階と、を含む。
前記制御動作を実行する段階は、現在動作中のアプリケーションを終了する段階と、待機画面またはホーム画面を表示する段階と、を含む。
前記制御動作を実行する段階は、ロックモードに進入する段階と、前記ロックモードに進入することによってロック画面を表示する段階と、を含む。
前記制御動作を実行する段階は、現在動作中のアプリケーションの作業状態を記憶または一時記憶する段階を含む。
前記制御動作を実行する段階は、前記電子ペンを検出する入力検出部を除いて、前記携帯装置を構成する少なくとも１つの構成要素の電源をオフさせる段階を含む。
【００１２】
前記入力検出部によって、前記電子ペンの前記検出距離内への進入を検出する段階と、前記電源がオフされた前記少なくとも１つの構成要素の電源をオンさせる段階と、を更に含む。
【００１３】
上記目的を達成するためになされた本発明の一態様による携帯装置は、情報を表示する表示部と、前記情報に対する電子ペンの入力として、前記電子ペンの検出距離内への進入、前記検出距離内に位置する前記電子ペンの操作による割り込みイベント、及び前記電子ペンの前記検出距離からの離脱のうち、少なくとも１つを検出する入力検出部と、前記入力検出部によって前記割り込みイベントが検出され、前記離脱が検出されると、前記離脱に対応して制御動作を実行する制御部と、を備えることを特徴とする。
【００１４】
前記入力検出部は、上記電子ペンのタッチまたはホバリング動作による電気信号及び磁気信号のうち、少なくとも１つの変化を検出し、前記電気信号及び前記磁気信号のうち、少なくとも１つの周波数変化による前記割り込みイベントを検出する。
前記周波数変化は、前記電子ペンのボタン、ホイール、ダイヤル及びスイッチのうち、少なくとも１つの操作によって発生する。
【００１５】
前記電子ペンと無線信号を送受信する通信部を更に含み、前記制御部は、前記通信部を通じて割り込み情報を含む無線信号を受信すると、前記割り込み情報に基づいて前記割り込みイベントを検出する。
割り込みイベントを発生させるためのユーザ入力を検出する入力部を更に含み、前記制御部は、上記ユーザ入力に基づいて上記割り込みイベントを検出する。
【００１６】
前記制御部は、前記制御動作として、現在動作中のアプリケーションを終了して待機画面またはホーム画面を表示するように前記表示部を制御する動作、ロックモードに進入する動作及び現在動作中のアプリケーションの作業状態を記憶または一時記憶する動作のうち、少なくとも１つを実行する。
前記制御部は、前記制御動作として、前記入力検出部を除いた前記携帯装置を構成する少なくとも１つの構成要素の電源をオフさせ、前記入力検出部によって前記電子ペンの前記検出距離内への再進入が検出されると、前記電源がオフされた上記少なくとも１つの構成要素の電源をオンさせる。
【図面の簡単な説明】
【００１７】
【図１】本発明の一実施形態による携帯装置の構成を示したブロック図である。
【図２】本発明の一実施形態による携帯装置の一部構成要素を例示した図である。
【図３】本発明の一実施形態による携帯装置の制御方法を示したフローチャートである。
【図４】本発明の一実施形態による携帯装置の検出距離内で電子ペンのホバリングまたはタッチ操作を示した図面である。
【図５】本発明の一実施形態による携帯装置が電子ペンのボタン操作による割り込みイベントを例示した図である。
【図６】入力検出部で検出される共振周波数変化を示したグラフである。
【図７】本発明の一実施形態による携帯装置の検出距離から電子ペンが離脱する例を示した図である。
【発明を実施するための形態】
【００１８】
以下、本発明を実施するための形態の具体例を、図面を参照しながら詳細に説明する。
【００１９】
本発明は、電子ペンを利用してユーザ入力を検出する携帯装置の制御に適用される。
【００２０】
また、本発明は、電子ペンを利用してユーザ入力を検出する携帯装置として、スマートフォン、携帯端末（Ｐｏｒｔａｂｌｅ  Ｔｅｒｍｉｎａｌ）、移動端末（Ｍｏｂｉｌｅ  Ｔｅｒｍｉｎａｌ）、個人情報端末（ＰＤＡ）、ＰＭＰ（Ｐｏｒｔａｂｌｅ  Ｍｕｌｔｉｍｅｄｉａ  Ｐｌａｙｅｒ）  端末、ノートパッド、Ｗｉｂｒｏ端末、タブレットＰＣ等の一般的な電子端末だけではなく、電子ペンを利用した入力を検出することができる全ての装置に適用される。
【００２１】
本明細書で使用する技術的用語は、単に特定の実施形態を説明するために使用するものであり、本発明の思想を限定しようとする意図はない。また、本明細書で使用する技術的用語は、本明細書で特別に他の意味に定義されない限り、本発明が属する分野で通常の知識を有する者にとって一般的に理解される意味に解釈されるものであり、過度に包括的な意味に解釈されたり、縮小された意味に解釈されるものではない。
【００２２】
また、本明細書で使用する単数の表現は、文脈上明白に相違するように意味しない限り、複数の表現を含む。本明細書において、「構成される」または「含む」等の用語は明細書上に記載された多くの構成要素、或いは多くの段階を必ず全部含むことに解釈されるものではない。
【００２３】
図１は本発明の一実施形態による携帯装置の構成を示したブロック図である。
【００２４】
図１を参照すると、携帯装置１００は、通信部１１０、記憶部１２０、制御部１３０、表示部１４０、及び入力検出部１５０を含んで構成される。
【００２５】
通信部１１０は、外部装置とデータ通信を行う。通信部１１０は、送信する信号の周波数をアップコンバート及び増幅する送信機と、受信した信号を低雑音増幅して周波数をダウンコンバートする受信機を含む。通信部１１０が赤外線等の光信号を利用してデータ通信を行う場合、通信部１１０は、光センサー、赤外線センサー等を含む。
【００２６】
本実施形態によると、通信部１１０は電子ペンと無線通信を行う。通信部１１０は電子ペンに無線信号を送信する。また、通信部１１０は、電子ペンから、電子ペンの位置、電子ペンまでの距離情報、電子ペンの操作状態、電子ペンが備える記憶部に記憶されたデータ等を含む無線信号を受信する。この場合、電子ペンは、通信部１１０と無線信号を送受信する通信モジュール、赤外線送受信部またはオン／オプ信号生成部等を備える。
【００２７】
記憶部１２０は、携帯装置１００のためのプログラムまたはコマンドを記憶する。制御部１３０は、記憶部１２０に記憶されたプログラムまたはコマンドを実行する。
【００２８】
記憶部１２０は、フラッシュメモリータイプ、ハードディスクタイプ、マルチメディアカードマイクロタイプ、カードタイプのメモリー（例えば、ＳＤまたはＸＤメモリー等）、ラム（ＲＡＭ）、ＳＲＡＭ、ロム（ＲＯＭ）、ＥＥＰＲＯＭ、ＰＲＯＭ、磁気メモリー、磁気ディスク、光ディスクのうち、少なくとも１つのタイプの記憶媒体を含む。
【００２９】
本実施形態によると、記憶部１２０は、電子ペンの検出距離内への進入、電子ペンとの距離、電子ペンの離脱等を判定するための電場または電場の臨界サイズ、臨界周波数または臨界共振周波数に関する情報を記憶する。
【００３０】
また、本実施形態によると、記憶部１２０は、制御部１３０の制御によって、携帯装置１００の操作状態、携帯装置１００で実行されるアプリケーションの動作状態、操作中のデータ等を一時保存または永久保存する。
【００３１】
制御部１３０は、携帯装置１００の全体的動作の実行のために各構成要素を制御する。例えば、制御部１３０は電子ペンの操作による割り込みイベント及び電子ペンの検出距離内からの離脱に基づいて携帯装置１００の制御動作を実行する。
【００３２】
本実施形態によると、制御部１３０は、入力検出部１５０の検出距離内に位置する電子ペンの割り込みイベントが検出された後、検出距離内からの離脱が検出されると、離脱に対応する制御動作を実行する。例えば、制御部１３０は、割り込みイベント及び離脱に対応して、アプリケーション終了、ホーム画面表示、ロックモード進入、アプリケーションの操作状態記憶等の制御動作を実行する。また、制御部１３０は、割り込みイベント及び離脱に対応して、入力検出部１５０を制御していた他の構成要素の電源をオフに制御することによって、スリープモードで作動するように携帯装置１００を制御する。
【００３３】
制御部１３０のより具体的な動作に対する説明は、以下、図面を参照しながら詳しく説明する。
【００３４】
表示部１４０は、携帯装置１００で処理される情報を表示（出力）する。例えば、表示部１４０は、現在駆動中のアプリケーション、プログラムまたは、サービスに対応する情報をＵＩ（Ｕｓｅｒ  Ｉｎｔｅｒｆａｃｅ）またはＧＵＩ（Ｇｒａｐｈｉｃ  Ｕｓｅｒ  Ｉｎｔｅｒｆａｃｅ）と共に表示する。
【００３５】
表示部１４０は、タッチスクリーンとして具現される。タッチスクリーンは、情報を表示するだけでなく、表示された情報に対するユーザの入力を受信する機能を有する。
【００３６】
タッチスクリーンは、画像表示装置上に接着層で付着したタッチパネルを含む。画像表示装置は画像を出力する装置であり、液晶表示装置（ＬＣＤ）、ＰＤＰ（Ｐｌａｓｍａ  Ｄｉｓｐｌａｙ  Ｐａｎｅｌ）、ＥＬ（Ｅｌｅｃｔｒｏｌｕｍｉｎｅｓｃｅｎｃｅ）またはＣＲＴ（Ｃａｔｈｏｄ  Ｒａｙ  Ｔｕｂｅ）等を含む。タッチパネルは、ユーザの手または物体の入力に対するタッチ座標を検出する。タッチパネルは抵抗膜方式、静電容量方式、電磁気方式、弾性表面波方式（Ｓｕｒｆａｃｅ  Ａｃｏｕｓｔｉｃ  Ｗａｖｅ  Ｔｙｐｅ：ＳＡＷ  Ｔｙｐｅ）  及び赤外線方式等の多様な方式を利用することができる。タッチパネルが静電容量方式の場合、人体だけではなく、静電誘導を起こすことができる導電性材質またはコイル等を含む電子ペンによる入力を検出する。
【００３７】
具現方式に応じて、タッチスクリーンから一定距離以内の近接入力を検出することもできる。
【００３８】
入力検出部１５０は、電場または磁場の変化を利用して入力を検出する。具体的に、入力検出部１５０は、電場または磁場を形成した後、電子ペン等の電場または磁場内の進入による大きさ、周波数、または共振周波数の変化を検出する。この時、携帯装置１００から電場または磁場が形成される距離、すなわち電場または磁場が形成されてユーザの入力を検出することができる距離を検出距離と呼称する。入力検出部１５０は、電子ペンが検出された位置情報、電子ペンとの距離情報等を含む入力情報を生成して制御部１３０へ伝達する。
【００３９】
本実施形態において、入力検出部１５０は表示部１４０と結合して表示部１４０を通じて電子ペンの入力を検出する。この時、検出距離は表示部１４０から電場または磁場が形成される距離を意味する。
【００４０】
入力検出部１５０は、ディジタイザ、センサーボード等から構成される。ディジタイザは抵抗式ディジタイザ、静電容量式ディジタイザまたは電子式ディジタイザである。入力検出部１５０はディジタイザだけではなく技術の発展によって入力を検出することができる多様なモジュールで構成される。
【００４１】
本実施形態において、入力検出部１５０は電子ペンによる入力を検出する。入力検出部１５０は電子ペンの検出距離内に進入または検出距離からの離脱を検出する。また、入力検出部１５０は、電子ペンに備えられるボタン、ホイール、ダイヤル、またはスイッチの操作状態を検出する。
【００４２】
この外にも、携帯装置１００は、ユーザ入力を検出するための入力部、携帯装置１００の各構成要素に電源を供給するための電源供給部等を更に含んで構成される。
【００４３】
図１に示した構成要素は必須ではなく、それより多くの構成要素を有するか、或いはそれより少ない構成要素を有する携帯装置１００が具現される。
【００４４】
以下では、本実施形態による携帯装置１００において、制御部１３０、表示部１４０、及び入力検出部１５０の構成をより具体的に説明する。
【００４５】
図２は、本発明の一実施形態による携帯装置の一部構成要素を例示した図である。
図２を参照すると、本実施形態による携帯装置１００は、制御部１３０、表示部１４０、及び入力検出部１５０を含んで構成される。
表示部１４０は情報を表示する。表示部１４０はウインドウ１４１及び液晶層１４２で構成される。
【００４６】
ウインドウ１４１は、液晶層１４２を外部からの衝撃または外部異物から保護する。ウインドウ１４１はＰＭＭＡのようなプラスチックレンズまたは高強度で強化処理された特殊ガラス等で構成される。ウインドウ１４１にはユーザの入力を検出するようにタッチセンサー、近接センサー、または圧力センサー等が付着される。この時、センサーはパッド形態でウインドウ１４１に接着される。
【００４７】
液晶層１４２は、液体と固体の性質を共に持つ液晶分子を含む。液晶層１４２は液晶分子に電流を供給して配列状態を制御することによって、絵、文字、または数字等を表示する。液晶層１４２には透明電極が接続され、垂直に形成される複数の偏光フィルターを含む。
【００４８】
ウインドウ１４１または液晶層１４２のうちの少なくとも１つには絶縁層が結合される。絶縁層はウインドウ１４１と液晶層１４２の間に別個の層で形成される。
【００４９】
入力検出部１５０は表示部１４０の下端に位置する。入力検出部１５０は電子ペン２００による入力を検出する。入力検出部１５０はディジタイザ、センサーボード等で構成される。ディジタイザは、抵抗式ディジタイザ、静電容量式ディジタイザまたは電子式ディジタイザである。入力検出部１５０はディジタイザだけではなく技術の発展によって入力を検出することができる多様なモジュールで構成される。
【００５０】
入力検出部１５０は電場または磁場の変化を検出するように網状に配置された複数のセンサーを含む。入力検出部１５０は、センサーを通じて、電子ペン２００による電場または磁場変化を検出する。この場合、電子ペン２００は表示部１４０と電場または磁場の変化を誘導することができる導電性材質（例えば、磁石等）またはコイルを含む。
【００５１】
入力検出部１５０は、電子ペン２００が検出距離（Ｄ）内に進入するかまたは検出距離（Ｄ）から離脱することを検出する。また、入力検出部１５０は、電場または磁場変化量によって、検出距離（Ｄ）内で表示部１４０から電子ペン２００までの距離を検出する。これによって、入力検出部１５０は電子ペン２００のタッチまたはホバリング動作を検出する。
【００５２】
本発明の一実施形態において、入力検出部１５０は、電子ペン２００が備えるボタン、ホイール、ダイヤル、またはスイッチ等の操作状態を検出する。図２にはボタン２１０を備える電子ペン２００の一実施形態を図示している。電子ペン２００は、ボタン２１０の操作状態、すなわちボタン２１０の押され状態によって内部キャパシタンス値が変更されて周辺電場または磁場の変化を誘導する。これによって、入力検出部１５０は電子ペン２００が備えるボタン２１０の操作状態による電場または磁場の変化を検出する。
【００５３】
他の実施形態として、入力検出部１５０は、液晶層１４２と結合して構成されるか、またはウインドウ１４１及び液晶層１４２の間に位置することができる。
【００５４】
電子ペン２００が検出されると、入力検出部１５０は検出された電子ペン２００の状態に対応する信号を生成して制御部１３０へ伝達する。制御部１３０は入力検出部１５０から受信した信号に基づいて携帯装置１００の多様な動作を制御する。
【００５５】
図２に示した携帯装置１００の図面は本発明の実施形態を具現するための一形態に過ぎず、具現方式によって携帯装置１００は多様な形態及び構造を有する。
【００５６】
以下では、本発明の一実施形態による携帯装置１００の制御方法をより具体的に説明する。
【００５７】
図３は、本発明の一実施形態による携帯装置の制御方法を示したフローチャートである。
以下、制御部１３０が電子ペン２００を利用して携帯装置１００の幾つかの制御動作を実行する例を説明するが、これに限定されず携帯装置１００で実行可能な多様なアプリケーション、プログラム、サービスまたは機能等に適用される。
【００５８】
先ず、制御部１３０は待機状態で作動する（ステップ３１０）。
【００５９】
待機状態で、制御部１３０はロックモードまたは待機モードで作動する。また、待機状態で、制御部１３０は任意のアプリケーション、プログラムまたは、サービスを実行する。制御部１３０は、待機状態でロック画面、待機画面、または動作中のアプリケーションに対応する画面を表示するように表示部１４０を制御する。
【００６０】
次に、制御部１３０は電子ペン２００のタッチまたはホバリングが検出されるか否かを判定する（ステップ３２０）。
【００６１】
制御部１３０は入力検出部１５０を通じて電子ペン２００が検出されるか否かを判定する。
【００６２】
図４を参照すると、入力検出部１５０は電子ペン２００が検出距離（Ｄ）内に進入することによる磁場（または電場）の変化を検出する。入力検出部１５０は、磁場の強度、周波数、または共振周波数の変化によって電子ペン２００が検出距離（Ｄ）内に進入することを検出する。この時、電子ペン２００は電場または磁場の変化を誘導するために導電性材質またはコイルを含む。
【００６３】
入力検出部１５０は、磁場の変化量によって、携帯装置１００から電子ペン２００までの距離を検出する。これによって、入力検出部１５０は、電子ペン２００が検出距離（Ｄ）内で表示部１４０に近接するように位置した状態でホバリング動作を実行するのか（２００ａ）、または電子ペン２００が表示部１４０に接触した状態でタッチ操作を実行するのか（２００ｂ）を検出する。
【００６４】
図６を参照すると、電子ペン２００が検出距離（Ｄ）内に進入することによって入力検出部１５０で検出される磁場の共振周波数が変化する例を図示している。この時、共振周波数は、電子ペン２００が備える磁石の大きさ、磁石と入力検出部１５０との間の距離、または電子ペン２００が備えるコイルの巻取り回数等に応じて変化する。図６では、電子ペン２００が検出距離（Ｄ）内に進入して入力検出部１５０と一定距離を維持する場合に、入力検出部１５０で検出される電場または磁場の共振周波数が上昇する例を図示した。
【００６５】
入力検出部１５０は、検出された電子ペン２００による入力に基づいて電場または磁場変化に対する情報、入力が検出された位置の情報、表示部１４０と電子ペン２００との間の距離情報等を含む信号を生成して制御部１３０へ伝達する。
【００６６】
制御部１３０は、入力検出部１５０から伝達された信号に基づいて電子ペン２００が検出距離（Ｄ）内に進入したか否か、及び電子ペン２００によるタッチまたはホバリングが検出されたか否かを判定する。
【００６７】
または、制御部１３０は、通信部１１０を通じて電子ペン２００が検出されたか否かを判定する。
【００６８】
通信部１１０は、電子ペン２００と無線通信を行う。通信部１１０は、電子ペン２００から電子ペン２００の位置、電子ペン２００との距離等に関する情報を含む無線信号を受信する。この時、電子ペン２００は携帯装置１００と無線信号を送受信することができる通信モジュール、赤外線送受信部、またはオン／オプ信号生成部を備える。通信部１１０は受信した無線信号を制御部１３０へ伝達する。制御部１３０は、通信部１１０から伝達された無線信号に基づいて、電子ペン２００が携帯装置１００の検出距離（Ｄ）内に近付いたか否か、及び電子ペン２００のホバリング動作またはタッチ操作を判定する。
【００６９】
本実施形態では、制御部１３０が電子ペン２００の進入、タッチ、またはホバリングを検出する例として説明しているが、これに限定されず、制御部１３０は、ドラッグ、ドロップ、モーション等の多様な動作が結合された形態の入力を検出する。
【００７０】
また、本実施形態では、制御部１３０が通信部１１０または入力検出部１５０を通じて電子ペン２００を検出する例を説明しているが、これに限定されず技術の発展によって電子ペン２００を認識する多様な技術、アルゴリズム、装置を使用することができる。
【００７１】
タッチまたはホバリングが検出されない場合、制御部１３０は待機状態へ戻って本実施形態による制御動作を反復的に実行する。
【００７２】
タッチまたはホバリングが検出されると、制御部１３０はタッチまたはホバリングに対応する制御動作が存在するか否かを判定する（ステップ３２１）。
【００７３】
制御部１３０は検出された電子ペン２００のタッチまたはホバリング動作に対応する携帯装置１００の制御動作が存在するか否かを判定する。制御部１３０は、電子ペン２００が検出された位置、検出された時間、連携動作を検出するか否か等に基づいて対応する制御動作を決める。また制御部１３０は現在動作中のアプリケーションに基づいてタッチまたはホバリング動作に対応する制御動作を決める。
【００７４】
タッチまたはホバリング動作に対応する制御動作はユーザによって設定されるかまたは携帯装置１００の製造時に予め設定されて記憶部１２０に記憶される。
【００７５】
タッチまたはホバリングに対応する制御動作が存在すると、制御部１３０は制御動作を実行する（ステップ３２２）。
【００７６】
制御部１３０はタッチまたはホバリングに対応する制御動作を実行するように携帯装置１００の各種構成要素を制御する。制御動作は、例えば特定メニュー、機能、ファイル等の選択、特定アプリケーションの動作、アプリケーションで提供する多様な機能の実行、ファイルビューアー、メディアファイルの再生、アプリケーションの終了等である。制御部１３０は、制御動作によって、データを記憶する記憶部１２０を制御するか、または情報を表示するように表示部１４０を制御する。
【００７７】
次に、制御部１３０は電子ペンの操作による割り込みイベントが検出されるか否かを判定する（ステップ３３０）。
【００７８】
割り込みイベントは、電子ペン２００が備えるボタン、ホイール、ダイヤル、またはスイッチ等の操作によって発生する。例えば、割り込みイベントは、図５に示したように、電子ペン２００が備えるボタン２１０を押す場合に発生する。
【００７９】
一方、本発明の一実施形態において、割り込みイベントは携帯装置１００が備える入力部の操作によっても発生する。すなわち、割り込みイベントは、ユーザによる携帯装置１００が備えるボタン、スイッチ、ジョッグダイヤルの操作によって発生する。或いは、割り込みイベントは、ユーザがタッチスクリーンで具現された表示部１４０を通じてユーザ入力を発生させることによって検出される。制御部１３０は入力部またはタッチスクリーンを通じて割り込みイベントに対応するユーザ入力が発生するか否かに基づいて、割り込みイベントを検出するか否かを判定する。
【００８０】
割り込みイベントは、電子ペン２００内部のキャパシタンスまたはインダクタンスを変化させることによって、電子ペン２００周辺の磁場を変化させるイベントである。電子ペン２００が備えるボタン２１０等は電子ペン２００の内部回路の可変キャパシタまたは可変インダクタに接続される。ボタン２１０が操作されると電子ペン２００内部のキャパシタンスまたはインダクタンスが変化することによって、周辺の電場または磁場に変化を誘導する。電場または磁場の変化は、例えば電場または磁場の強度、ベクトル、周波数、または共振周波数等の変化である。
【００８１】
この場合、制御部１３０は入力検出部１５０で検出される電場または磁場の変化に基づいて割り込みイベントが検出されたか否かを判定する。
【００８２】
図６を参照すると、入力検出部１５０で検出される携帯装置１００周辺の電場または磁場の共振周波数は、先ず電子ペン２００が検出距離（Ｄ）内に進入することによって変化する。この時、共振周波数は電子ペン２００が備える磁石の大きさ、磁石と入力検出部１５０の間の距離、または電子ペン２００が備えるコイルの巻取り回数等によって変化する。図６では、電子ペン２００が検出距離（Ｄ）内に進入して入力検出部１５０と一定距離を維持する場合に、入力検出部１５０で検出される電場または磁場の共振周波数が上昇する例を図示した。
【００８３】
次に、電子ペン２００が検出距離（Ｄ）内に位置した状態で割り込みイベントが発生すると、入力検出部１５０で検出される携帯装置１００周辺の電場または磁場の共振周波数は更に変化する。図６では、電子ペン２００が備えるボタン２１０の操作によって共振周波数が上昇する例を図示した。入力検出部１５０は共振周波数の更なる変化に応じて割り込みイベントの発生を検出する。
【００８４】
或いは、割り込みイベントは、電子ペン２００の通信モジュール、赤外線送受信部、またはオン／オプ信号生成部が無線信号を生成して外部へ送信するイベントである。具体的には、電子ペン２００が備えるボタン２１０等が操作されると、電子ペン２００の通信モジュール、赤外線送受信部、またはオン／オプ信号生成部は無線信号を生成して携帯装置１００の通信部１１０に無線信号を送信する。
【００８５】
この場合、制御部１３０は通信部１１０を通じて受信した無線信号に基づいて割り込みイベントが検出されたか否かを判定する。制御部１３０は受信した無線信号に含まれる割り込み情報に基づいて割り込みイベントが検出されたか否かを判定する。
【００８６】
割り込みイベントが検出されると、制御部１３０は割り込みイベントに対応する制御動作が存在するか否かを判定する（ステップ３３１）。
【００８７】
制御部１３０は割り込みイベントに対応する携帯装置１００の制御動作が存在するか否かを判定する。制御部１３０は割り込みイベントの種類（例えば、ボタンのクリック、ダイヤル回転等）、割り込みイベントが検出された位置、タッチまたはホバリングが作動するか否か、ドラッグ操作等と連携するか否かに基づいて対応する制御動作を決める。また、制御部１３０は現在動作中のアプリケーションに基づいて割り込みイベントに対応する制御動作を決める。
【００８８】
割り込みイベントに対応する制御動作は、ユーザによって設定されるか、または携帯装置１００の製造時に予め設定されて記憶部１２０に記憶される。
【００８９】
割り込みイベントに対応する制御動作が存在すると、制御部１３０は制御動作を実行する（ステップ３３２）。
【００９０】
制御部１３０は割り込みイベントに対応する制御動作を実行するように携帯装置１００の各種構成要素を制御する。制御動作は、例えばメニューの表示、前または次の画面の表示、書き込みモード変換等のアプリケーションで提供する多様な機能の実行動作である。制御部１３０は、制御動作によって、データを記憶するように記憶部１２０を制御するか、または情報を表示するように表示部１４０を制御する。
【００９１】
次に、制御部１３０は電子ペン２００の離脱が検出されるか否かを判定する（ステップ３４０）。
【００９２】
制御部１３０は、図７に示したように、割り込みイベントが検出された状態で、電子ペン２００が検出距離（Ｄ）内から離脱したことが検出されるか否かを判定する。
【００９３】
制御部１３０は入力検出部１５０を通じて電子ペン２００が離脱するか否かを判定する。具体的に、入力検出部１５０は電子ペン２００の検出距離（Ｄ）内からの離脱による電場または磁場の変化を検出する。電場または磁場の変化は、電場または磁場の強度、ベクトル、周波数、または共振周波数のうちの少なくとも１つの変化である。入力検出部１５０は電子ペン２００の離脱による電場または磁場の変化に対する情報、離脱が検出された位置情報等を含む信号を生成して制御部１３０へ伝達する。制御部１３０は入力検出部１５０から伝達された信号に基づいて、電子ペン２００が検出距離（Ｄ）から離脱するか否かを判定する。
【００９４】
或いは、制御部１３０は通信部１１０を通じて電子ペン２００が離脱するか否かを判定することができる。具体的に、通信部１１０は電子ペン２００が備える通信モジュール、赤外線送受信部、またはオン／オプ信号生成部等と無線通信を行う。通信部１１０は無線通信を通じて電子ペン２００が検出距離（Ｄ）内から離脱したか否かに関する情報を受信する。通信部１１０は受信した無線信号を制御部１３０へ伝達し、制御部１３０は無線信号を分析して、電子ペン２００が検出距離（Ｄ）内から離脱したか否かを判定する。
【００９５】
電子ペンの離脱が検出されない場合、制御部１３０は割り込みイベントの終了が検出されるか否かを判定する（ステップ３５０）。
【００９６】
制御部１３０は、入力検出部１５０または通信部１１０を通じて割り込みイベントの終了が検出されるか否かを判定する。割り込みイベントは操作された電子ペン２００の元の状態に復帰または別途の操作によって終了する。
【００９７】
割り込みイベントが終了したと判定されると、制御部１３０はタッチまたはホバリングに対応する制御動作が存在するか否かを判定する段階に戻って、本実施形態による制御動作を繰り返す。
【００９８】
制御部１３０は、入力検出部１５０を通じて電場または磁場が割り込みイベント発生の前の状態に戻ったことが検出されると、割り込みイベントが終了したと判定する。或いは、制御部１３０は、通信部１１０を通じて割り込み終了に対応する情報が含まれる無線信号を受信した場合、割り込みイベントが終了したと判定する。
【００９９】
割り込みイベントが終了したと判定されると、制御部１３０は本実施形態によるタッチまたはホバリングに対応する制御動作が存在するか否かを判定する段階へ戻って、本実施形態による制御動作を繰り返す。
【０１００】
一方、割り込みイベントが終了していないと判定されると、制御部１３０は割り込みイベントに対応する制御動作が存在するか否かを判定する段階へ戻って、本発明による制御動作を繰り返す。
【０１０１】
一方、電子ペンの離脱が検出されると、制御部１３０は予め設定された時間が経過したか否かを判定する（ステップ３４１）。
【０１０２】
制御部１３０は、電子ペン２００の離脱が検出された時から、予め設定された時間が経過したか否かを判定する。ここで、予め設定された時間は電子ペン２００を利用した携帯装置１００の制御が終了したと判定するための基準になる時間である。予め設定された時間は携帯装置１００の製造時またはユーザによって設定されて記憶部１２０に記憶される。
【０１０３】
予め設定された時間が経過しない場合、制御部１３０は繰り返して予め設定された時間が経過したか否かを判定する。
【０１０４】
予め設定された時間が経過すると、制御部１３０は電子ペン２００の離脱に対応した制御動作を実行する（ステップ３６０）。
【０１０５】
制御部１３０は、割り込みイベントが検出された状態で、電子ペン２００が検出距離（Ｄ）内から離脱することによって、電子ペン２００の離脱に対応する制御動作を実行する。
電子ペン２００の離脱に対応する制御動作はユーザによって設定されるか、または携帯装置１００の製造時に設定されて記憶部１２０に記憶される。
【０１０６】
必要に応じて、制御部１３０は制御動作のオン／オフモードを判定する。制御部１３０は電子ペン２００の割り込みイベント及び検出距離（Ｄ）内からの離脱によって携帯装置１００の動作を制御するか否かに対するオン／オフモードを設定する。制御部１３０は、オン／オフモードを設定するためのユーザインターフェースを表示するように表示部（１４０）を制御するか、或いは入力部またはタッチスクリーンを通じてモード設定入力を受信する。制御部１３０は入力に対応してオン／オフモードを設定して、設定された事項を記憶部１２０に記憶する。この場合、制御部１３０は携帯装置１００の制御動作がオンモードに設定されているか判定する。
【０１０７】
制御部１３０は、電子ペン２００の離脱に対応して、現在動作中のアプリケーションを終了する。制御部１３０は現在フォアグラウンドで動作中のアプリケーションが何かを判定し、当該アプリケーションを終了する。この時、制御部１３０はアプリケーションがバックグラウンドで作動しないように、プロセス上でアプリケーションの動作を完全に終了する。
【０１０８】
制御部１３０はアプリケーションの動作終了によって、作業中のデータが損失されないように現在動作中のアプリケーションの作業状態を一時的または永久的に記憶部１２０に記憶する。この時、制御部１３０はフォアグラウンドで動作中のアプリケーションだけでなく、バックグラウンドで動作中のアプリケーションの作業状態も記憶部１２０に記憶する。例えば、メモ帳アプリケーションにおいてメモ作成中に割り込みイベント発生及び電子ペン２００の離脱が検出された場合、制御部１３０は作成中のメモデータを記憶部１２０に一時的または永久的に記憶する。
【０１０９】
或いは、制御部１３０は、電子ペン２００の離脱に対応して、待機画面、ホーム画面、背景画面、ロック画面、節電モード画面等を表示するように表示部１４０を制御する。すなわち、制御部１３０はフォアグラウンドで動作中のアプリケーションの画面を表示部１４０上から削除して、待機画面等を表示するように表示部１４０を制御する。この時、制御部１３０はフォアグラウンドで動作中のアプリケーションをプロセス上で終了させるか、またはバックグラウンドで作動するように制御する。また、制御部１３０は表示画面に従ってロックモードまたは節電モードで作動するように携帯装置１００の構成要素を制御する。
【０１１０】
制御部１３０は電子ペン２００の離脱に対応してアプリケーションの動作状態をバックグラウンドに切り替えたり、携帯装置１００の動作状態をロックモードまたは節電モードに切り替えたりすることによって発生し得るデータ損失を防止するために、動作中のアプリケーションの作業状態を記憶部１２０に一時的または永久的に記憶する。
【０１１１】
その他、制御部１３０は電子ペン２００の離脱に対応して携帯装置１００の機能実行またはモード設定等の多様な動作を実行する。
【０１１２】
本発明の一実施形態によれば、制御部１３０は入力検出部１５０を除いて、携帯装置１００を構成する少なくとも１つの構成要素の電源をオフさせる。すなわち、制御部１３０は入力検出部１５０を除いた残りの構成要素に対して電源供給が中断されるように電源供給部を制御することができる。これによって、携帯装置１００は節電モードまたはスリープモードで動作する。
【０１１３】
制御部１３０は、構成要素の電源をオフさせる以前の作業状態を記憶部１２０に一時的または永久的に記憶する。制御部１３０は電源オフ前の動作中のアプリケーションに対する情報、アプリケーションそれぞれに対する作業状態の情報、動作中のデータ情報等を記憶部１２０に記憶する。
【０１１４】
制御部１３０は入力検出部１５０を除いた残りの構成要素の電源をオフさせた状態で、電子ペン２００が検出距離（Ｄ）内に進入するか否かを判定する。制御部１３０は電源がオフされない入力検出部１５０を通じて磁場または電場の変化が検出されるか否かを判定する。制御部１３０が入力検出部１５０を通じて電子ペン２００を検出する方法は上述した通りである。
【０１１５】
入力検出部１５０によって電子ペン２００の検出距離（Ｄ）内への進入が検出されると、制御部１３０は電源がオフされた構成要素の電源をオンする。すなわち、制御部１３０は、携帯装置１００を構成する構成要素に電源が供給されるように電源供給部を制御して、節電モードまたはスリープモードを解除する。構成要素の電源をオンすると共に、制御部１３０は構成要素の電源をオフさせる以前の作業状態に戻るように携帯装置１００の各構成要素を制御する。制御部１３０は電源オフ前に記憶された作業状態に関する情報に基づいて、実行中の作業を表示したり、再生中のファイルを再生したりするように携帯装置１００の各構成要素を制御する。
【０１１６】
電子ペン２００の離脱に対応する幾つかの制御動作の例を上述したが、これに限定されず本発明の技術思想が変更されない範囲内で多様な制御動作に適用が可能である。
【０１１７】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１１８】
１００    携帯装置
１１０    通信部
１２０    記憶部
１３０    制御部
１４０    表示部
１４１    ウインドウ
１４２    液晶層
１５０    入力検出部
２００    電子ペン
２１０    ボタン
【図１】
2014132441.tif 000003
【図２】
2014132441.tif 000004
【図３】
2014132441.tif 000005
【図４】
2014132441.tif 000006
【図５】
2014132441.tif 000007
【図６】
2014132441.tif 000008
【図７】
2014132441.tif 000009